(57)【要約】【課題】折り装置から枚葉紙送り方向ＢＬで送られて来る枚葉紙のための折り機の折りブレード装置であって、互いに間隔を保って配置され、枚葉紙送り方向で循環する複数のコンベヤベルト１２と、枚葉紙送り方向ＢＬに配置された、送られて来る枚葉紙を折り畳む折りブレード１４と、枚葉紙送り方向ＢＬで見て折りブレード１４の下流側に設けられた終端ストッパ装置１６と、ほぼ枚葉紙送り方向ＢＬで見て、折りブレード１４の各側にそれぞれ延びる少なくとも１つの押さえ装置１８と、各押さえ装置１８の下面に設けられ、かつコンベヤベルト１２に対して所定の間隔を保っている剛毛２０とを有している形式のものを改良して、サイドストッパなしで正確な枚葉紙ガイドが実現できるようにする。【解決手段】枚葉紙送り方向ＢＬで見た押さえ装置１８の長さが、処理しようとする最も長い折り畳み枚葉紙の長さに相当し、剛毛２０が、押さえ装置１８の全長に亘って設けられている。【選択図】図１
2004331402.tif 000002
【特許請求の範囲】
【請求項１】
前置接続された折り装置から枚葉紙送り装置（ＢＬ）で送られて来る枚葉紙を折り畳むための折り機の折りブレード装置であって、
互いに間隔を保って配置された、枚葉紙送り方向（ＢＬ）で循環する複数のコンベヤベルト（１２）が設けられていて、これらのコンベヤベルトの上行区分が共通の枚葉紙載設平面（３０）を形成しており、
枚葉紙送り方向（ＢＬ）に配置された、送られて来る枚葉紙を折り畳むための折りブレード（１４）と、
枚葉紙送り方向（ＢＬ）で見て折りブレード（１４）の下流側に設けられた終端ストッパ装置（１６）と、
ほぼ枚葉紙送り方向（ＢＬ）で見て、折りブレード（１４）の各側にそれぞれ延びる少なくとも１つの押さえ装置（１８）と、
各押さえ装置（１８）の下面に設けられ、かつコンベヤベルト（１２）に対して所定の間隔を保っている剛毛（２０）と、
を有している形式のものにおいて、
枚葉紙送り方向（ＢＬ）で見た押さえ装置（１８）の長さが、処理しようとする最も長い折り畳み枚葉紙の長さに相当し、
剛毛（２０）が、押さえ装置（１８）の全長に亘って設けられている、
ことを特徴とする、折りブレード装置。
【請求項２】
押さえ装置（１８）が高さ調節可能である、請求項１記載の折りブレード装置。
【請求項３】
押さえ装置（１８）が枚葉紙送り方向（ＢＬ）で角度調節可能である、請求項１又は２記載の折りブレード装置。
【請求項４】
枚葉紙送り方向（ＢＬ）に対する押さえ装置（１８）の角度は、終端ストッパ装置（１６）の側における剛毛（２０）の押し付け力が押さえ装置（１８）の下側への折り畳み枚葉紙の侵入部におけるよりも大きくなるように、調節可能である、請求項３記載の折りブレード装置。
【請求項５】
剛毛（２０）は、枚葉紙送り方向（ＢＬ）に対して３０°〜８０°、有利には７０°の角度（α）で傾斜されている、請求項１から４までのいずれか１項記載の折りブレード装置。
【請求項６】
請求項１から５までのいずれか１項記載の折りブレード装置において、
剛毛（２０）が押さえ装置（１８）の下面に形成された孔列内に取り付けられており、これらの孔列が、終端ストッパ装置（１６）に向かって折りブレード平面（ＦＥ）に対して３０°〜６０°、有利には４５°の角度（γ）で傾斜されており、剛毛（２０）が孔列平面内で枚葉紙平面に対して６０°〜８０°、有利には７０°の角度で傾斜されていることを特徴とする、折りブレード装置。
【発明の詳細な説明】
【技術分野】
【０００１】
本発明は、前置接続された（前方に接続された）折り装置から枚葉紙送り方向で送られて来る枚葉紙を折り畳むための折り機の折りブレード装置であって、互いに間隔を保って配置された、枚葉紙送り方向で循環する複数のコンベヤベルトが設けられていて、これらのコンベヤベルトの上行区分が共通の枚葉紙載設平面を形成しており、枚葉紙送り方向に配置された、送られて来る枚葉紙を折り畳むための折りブレードと、枚葉紙送り方向で見て折りブレードの下流側に設けられた終端ストッパ装置と、ほぼ枚葉紙送り方向で見て、折りブレードの各側にそれぞれ延びる少なくとも１つの押さえ装置と、各押さえ装置の下面に設けられ、かつコンベヤベルトに対して所定の間隔を保っている剛毛と、を有している形式のものに関する。
【背景技術】
【０００２】
このような形式の折りブレード装置は、例えばヨーロッパ特許公開第１１７６１０９号明細書により公知である。この場合、押さえ装置に剛毛が設けられており、この剛毛は、ヒンジとして構成されていてよく、ねじりばねによって枚葉紙上面側との摩擦接続状態でプレロード（予圧）がかけられている。この剛毛は、枚葉紙送り方向で著しく短い長さを有していて、終端ストッパまで達する枚葉紙を制動するためだけに用いられている。この場合、十分な枚葉紙ガイドを保証するために、サイドストッパが設けられている。
【０００３】
押さえ装置の下側を通過する枚葉紙を制動するために押さえ装置に剛毛を用いることは、例えばヨーロッパ特許第０２２５５７６号明細書、アメリカ合衆国特許第５４０５１２７号明細書、並びにヨーロッパ特許第０１６１９８８号明細書により公知である。
【特許文献１】ヨーロッパ特許公開第１１７６１０９号明細書
【特許文献２】ヨーロッパ特許第０２２５５７６号明細書
【特許文献３】アメリカ合衆国特許第５４０５１２７号明細書
【特許文献４】ヨーロッパ特許第０１６１９８８号明細書
【発明の開示】
【発明が解決しようとする課題】
【０００４】
本発明の課題は、冒頭に述べた形式の折りブレード装置を改良して、サイドストッパなしで正確な枚葉紙ガイドが実現できるようにすることである。
【課題を解決するための手段】
【０００５】
この課題を解決した本発明によれば、枚葉紙送り方向で見た押さえ装置の長さが、処理しようとする最も長い折り畳み枚葉紙の長さに相当し、剛毛が、押さえ装置の全長に亘って設けられている。
【０００６】
従属請求項２〜６には、折りブレード装置の有利な実施態様が記載されている。
【発明の効果】
【０００７】
剛毛を備えた押さえ装置の長さを、処理しようとする最も長い折り畳み枚葉紙の長さに合わせることによって、この最も長い折り畳み枚葉紙が折りブレード装置の両側でその全長に亘って、押さえ装置の剛毛と係合することが保証される。このことは、勿論、最大処理長さを有する折り畳み枚葉紙よりも短い折り畳み枚葉紙においてもそうである。
【０００８】
押さえ装置のフレキシブルな剛毛によって、剛毛をコンベヤベルトに確実に押しつけることが保証され、それによってコンベヤベルトと剛毛との間の摩擦接続が形成される。さらにまた剛毛が、終端ストッパ装置にぶつかった後で跳ね返ることは阻止される。枚葉紙が十分正確に、前置接続された折り装置から引き取られると、サイドストッパを設けなくても十分な枚葉紙センタリングが保証される。枚葉紙センタリングは、前置接続された折り装置と折りブレード装置との間でブレード軸に、パーフォーレーション工具（ミシン目付け工具）／溝付け工具を設けることによって促進される。
【０００９】
枚葉紙を正しい角度で整列させることは終端ストッパ装置を介して行われる。剛毛の必要な押圧力は、押さえ装置の高さ調節を介して微妙に調節することができる。
【００１０】
押さえ装置は、単独で調節可能であるか、又は高さ調節の他に付加的に枚葉紙送り方向に対して所定の角度で調節可能である。有利な形式では、押さえ装置は、剛毛の押し付け力が、押さえ装置の下側への折り畳み枚葉紙の侵入部におけるよりも、終端ストッパ装置の側において大きくなるように、調節される。
【００１１】
折りブレード装置の幅に応じて、折りブレードの右側及び左側に、剛毛を備えた押さえ装置とコンベヤベルトとから成るそれぞれ少なくとも２つのユニットが用いられる。
【００１２】
有利には、剛毛は、送られてくる折り畳み枚葉紙に対して３０°〜８０°、有利には７０°の鋭角を形成する。
【００１３】
別の有利な実施例によれば、剛毛は、押さえ装置の下面に設けられた孔列で固定されており、これらの孔列は、終端ストッパ装置に向かって折りブレードに対して３０°〜６０°、有利には４５°の角度で傾斜されており、この場合、剛毛は孔列平面で６０°〜８０°、有利には７０°の角度で枚葉紙平面に対して傾斜されている。
【００１４】
剛毛のための材料として有利には、馬の毛又は例えばポリアミドより成るプラスチック繊維が用いられる。
【発明を実施するための最良の形態】
【００１５】
折りブレード装置１０は、枚葉紙送り方向ＢＬに延び、かつ折りローラ対１５上に配置された折りブレード１４（図２，図３）の両側で、互いに間隔を保って相並んで配置された複数のコンベヤベルト１２を有しており、これらのコンベヤベルト１２は、枚葉紙送り方向ＢＬに延びている。図１及び図２には、折りブレード装置１４の左側のコンベヤベルト１２だけが示されている。右側は左側と同様に構成されている。折りブレード１４は図１には示されていない。折りブレード１４は図平面の前に配置されている。
【００１６】
コンベヤベルト１２の上行区分（搬送側ベルト）によって、枚葉紙載設平面３０が形成されている。
【００１７】
枚葉紙送り方向の下流側で見て、横方向ステー２４が、コンベヤベルト１２の上側で枚葉紙送り方向ＢＬに対して横方向に延びており、このコンベヤベルト１２に、互いに間隔を保って配置されたストッパフィンガ１６が設けられており、このストッパフィンガ１６は枚葉紙載設平面３０を越えて下方に延びている。
【００１８】
各コンベヤベルト１２上にはそれぞれ１つの押さえ装置１８が設けられており、この押さえ装置１８は枚葉紙載設平面に対して平行に配置されている。条片２２の下面には、ほぼ同じ長さの剛毛２０を有する多数の剛毛束１９が互いに密に並んで配置されており、これらの剛毛２０は、コンベヤベルト１２に向かって延びていて、コンベヤベルト１２に対して所定の間隔を保っている。剛毛２０は枚葉紙送り方向ＢＬで傾斜していて、剛毛２０の縦軸線と、枚葉紙載設平面３０上で搬送される折り畳み枚葉紙との間の角度αは７０°である（図１）。
【００１９】
図４に示されているように、剛毛束１９は互いに平行な多数の孔列２１に固定されて押さえ装置１８の下面に取り付けられており、この場合、各孔列平面は折りブレード平面ＦＥに対して３０°〜６０°、有利には４５°の角度γで延びており、これらの列は終端ストッパとしてのストッパフィンガ１６に向かって、折りブレード平面ＦＥの方向に延びている。
【００２０】
図３に示されているように、剛毛２０は孔列平面内で、枚葉紙平面に対して６０°〜８０°有利には７０°の角度で傾斜されている。これによって枚葉紙の横方向のずれが阻止されている。
【００２１】
コンベヤベルト１２上に作用する剛毛の押し力を調節できるようにするために、条片２２は調節装置（図示せず）によって高さ調節可能となっている。また剛毛はコンベヤベルト１２の長さに亘って角度調節可能である。
【００２２】
剛毛２０はストッパフィンガ１６まで配置されている。剛毛２０によって覆われる、コンベヤベルト１２の長さは、コンベヤベルト１２と枚葉紙との間に十分な摩擦接続（Reibschluss：摩擦による束縛）が得られるように設計されている。十分な摩擦接続とは、折り畳もうとする枚葉紙が横方向にずれるのを阻止する程度に摩擦によって束縛されているということである。つまり剛毛２０を有する条片１２の長さは、処理しようとする最も長い折り畳み枚葉紙の長さに相当している。
【図面の簡単な説明】
【００２３】
【図１】折りブレード装置の一部の概略的な縦断面図である。
【００２４】
【図２】図１のII−II線に沿った断面図である。
【００２５】
【図３】図１のII−II線に沿った拡大断面図である。
【００２６】
【図４】押さえ装置を下から見た図である。
【符号の説明】
【００２７】
１０  折りブレード装置、  １２  コンベヤベルト、  １４  折りブレード、  １５  折りローラ対、  １６  ストッパフィンガ、  １８  押さえ装置、  １９  剛毛束、  ２０  剛毛、  ２１  孔列、  ２２  条片、  ２４  横方向ステー、  ３０  枚葉紙載設面、  ＦＥ  折りブレード平面
【図１】
2004331402.tif 000003
【図２】
2004331402.tif 000004
【図３】
2004331402.tif 000005
【図４】
2004331402.tif 000006